(57)【要約】      （修正有）【課題】ニップルの内部に残留する水を排出することが可能であり、水滴の残留による衛生問題を解消することが可能であるニップルを提供する。【解決手段】吸い端１２と、吸い端１２から遠ざかった端に設けられている開口１４と、を有し、吸い端１２には、吸い端１２と開口１４を仕切る仕切シート１３が設けられている突出エラストマー１１と、外側に延びる噛みロッド３３を有し、噛みロッド３３の内部に中空溝２７が形成されており、噛みロッド３３との間に塞ぎ部２３が設けられており、塞ぎ部２３が開口１４を塞ぎ、これにより、突出エラストマー１１の内部に気密空間３４が形成されており、気密空間３４において、噛みロッド３３が宙に浮かんでおり、塞ぎ部２３に通気パイプライン３１が少なくとも一つ設けられており、通気パイプライン３１は、気密空間３４と塞ぎ部２３の外部の空間を連通するグリップ部２１と、を含む。【選択図】図３
0003192370.tif 000002
【実用新案登録請求の範囲】
【請求項１】
吸い端（１２）と、前記吸い端（１２）から遠ざかった端に設けられている開口（１４）と、を有し、前記吸い端（１２）には、前記吸い端（１２）と前記開口（１４）を仕切る仕切シート（１３）が設けられている突出エラストマー（１１）と、
外側に延びる噛みロッド（２８）を有し、前記噛みロッド（２８）の内部に中空溝（２７）が形成されており、前記噛みロッド（２８）との間に塞ぎ部（２３）が設けられており、前記塞ぎ部（２３）が前記開口（１４）を塞ぎ、これにより、前記突出エラストマー（１１）の内部に気密空間（３４）が形成されており、前記気密空間（３４）において、前記噛みロッド（２８）が宙に浮かんでおり、前記塞ぎ部（２３）に通気パイプライン（２５）が少なくとも一つ設けられており、前記通気パイプライン（２５）は、前記気密空間（３４）と前記塞ぎ部（２３）の外部の空間を連通するグリップ部（２１）と、
を含むことを特徴とするニップル。
【請求項２】
前記噛みロッド（２８）は、若干の隆起（２２）を直列に接続して形成され、これらの前記隆起（２２）同士の間に凹み部（２９）がそれぞれ形成されていることを特徴とする、請求項１に記載のニップル。
【請求項３】
前記中空溝（２４）は前記噛みロッド（２８）の両端を貫通することを特徴とする、請求項１に記載のニップル。
【考案の詳細な説明】
【技術分野】
【０００１】
本考案は、ニップルに関し、特に、通気式のニップルに関するものである。
【背景技術】
【０００２】
従来の通気可能なニップルとして、例えば特許文献１の台湾実用新案Ｍ３０２３６９号が提案されている。このようなニップルは、その内部に噛みロッドが設けられており、前記噛みロッドと前記ニップルから気密空間が形成され、前記噛みロッドに通気穴が設けられており、前記気密空間において、前記噛みロッドの前端が宙に浮かんでおり、前記通気穴により、前記ニップルの前記気密空間の内外の圧力をバランスすることが可能であり、前記ニップルを吸っているときに、赤ちゃんがより快適である。しかし、前記ニップルを洗浄するときには、水が前記通気穴に沿って前記ニップルの内部に進入して、水の排出が容易ではないため、細菌やカビが生じる。
【０００３】
特許文献２の台湾特許２６００２０号のニップルは、噛みロッドとの結合部位に中空溝が設けられており、前記中空溝により、残留の水を排出することが可能であるが、前記ニップルと前記噛みロッドの結合が高温溶接を採用するため、作製の過程中に、操作を油断すると、ゴムが前記中空溝を塞ぎやすい。このように、前記中空溝の機能が喪失して、残留の水を排出することができなくなる。
【先行技術文献】
【特許文献】
【０００４】
【特許文献１】台湾実用新案Ｍ３０２３６９号公報
【特許文献２】台湾特許２６００２０号公報
【考案の概要】
【考案が解決しようとする課題】
【０００５】
本考案の主な目的は、ニップルの内部に残留する水を排出することが可能であり、水滴の残留による衛生問題を解消することが可能であるニップルを提供することにある。
【課題を解決するための手段】
【０００６】
本考案のニップルによると、吸い端と、吸い端から遠ざかった端に設けられている開口と、を有し、吸い端には、吸い端と開口を仕切る仕切シートが設けられている突出エラストマーと、外側に延びる噛みロッドを有し、噛みロッドの内部に中空溝が形成されており、噛みロッドとの間に塞ぎ部が設けられており、塞ぎ部が開口を塞ぎ、これにより、突出エラストマーの内部に気密空間が形成されており、気密空間において、噛みロッドが宙に浮かんでおり、塞ぎ部に通気パイプラインが少なくとも一つ設けられており、通気パイプラインは、気密空間と塞ぎ部の外部の空間を連通するグリップ部と、を含むことを特徴とする。
【０００７】
本考案のニップルによると、噛みロッドは、若干の隆起を直列に接続して形成され、これらの隆起同士の間に凹み部がそれぞれ形成されていることを特徴とする。
【０００８】
本考案のニップルによると、中空溝は噛みロッドの両端を貫通することを特徴とする。
【考案の効果】
【０００９】
本考案のニップルによれば、その内部に水滴が残留し難く、水滴の残留による衛生問題を解消することが可能であるという効果を有する。
【図面の簡単な説明】
【００１０】
【図１】本考案の実施例１を示す側面断面図である。
【図２】本考案の実施例２を示す側面断面図である。
【図３】本考案の実施例３を示す側面断面図である。
【考案を実施するための形態】
【００１１】
以下、本考案の実施の形態を図面に基づいて説明する。
【００１２】
（実施例１）
図１を参照する。図１は本考案の実施例１を示す側面断面図である。本考案のニップル１０は、突出エラストマー１１と、グリップ部２１と、を含む。突出エラストマー１１は、吸い端１２と、吸い端１２から遠ざかった端に設けられている開口１４と、を有する。吸い端１２には、吸い端１２と開口１４を仕切る仕切シート１３が設けられている。グリップ部２１は、外側に延びる噛みロッド２８を有する。噛みロッド２８は、若干の隆起２２を直列に接続して形成される。これらの隆起２２同士の間に凹み部２９がそれぞれ形成されている。噛みロッド２８とグリップ部２１の間に塞ぎ部２３が設けられている。グリップ部２１は環状グリップ部２６であってもよい。噛みロッド２８の内部に中空溝２７が形成されている。中空溝２７は、環状グリップ部２６から噛みロッド２８の上端まで延びるが、噛みロッド２８を貫通することはない。塞ぎ部２３には、塞ぎ部２３を貫通する通気パイプライン２５が二つ設けられている。ニップルを組み付けると、開口１４が塞ぎ部２３に塞がれて、突出エラストマー１１の内部に気密空間３４が形成されており、気密空間３４において、噛みロッド２８が宙に浮かんでおり、通気パイプライン２５は、気密空間３４と塞ぎ部２３の外部の空間を連通し、中空溝２７は気密空間３４と連通しない。
【００１３】
このように、ニップル１０を利用しているときには、洗浄の原因で通気パイプライン２５を沿って、突出エラストマー１１と塞ぎ部２３から形成される気密空間３４に進入する水は、温度差によって生じる水滴が突出エラストマー１１の内部に残留する。当該水を除去することができないときには、ニップル１０を反転して、本考案の通気パイプライン２５により水滴を排出することが可能である。そして通気パイプライン２５がグリップ部２１を貫通するように設けられているため、開口１４と塞ぎ部２３を粘着するときには、水を排出する経路が塞がれることはなく、水をスムーズに排出することが可能である。
【００１４】
（実施例２）
図２を参照する。図２は本考案の実施例２を示す側面断面図である。本実施例のニップル３０の構成は、実施例１とほぼ同じであるが、実施例１と相違する点は、ニップル１０の噛みロッド２８の内部に中空溝２７が設けられており、中空溝２７が気密空間３４と連通しないが、ニップル３０の噛みロッド３２の内部に設けられている中空溝２４は、環状グリップ部２６から噛みロッド２８の上端まで延びて、噛みロッド２８の両端を貫通することにある。本実施例のニップル３０の機能は、実施例１のニップル１０とほぼ同じであるため、説明を省略する。
【００１５】
（実施例３）
図３を参照する。図３は本考案の実施例３を示す側面断面図である。本実施例のニップル４０の構成は、実施例１とほぼ同じであるが、実施例１と相違する点は、塞ぎ部２３に設けられている通気パイプライン３１は、塞ぎ部２３を斜めに貫通して、噛みロッド３３の中空溝２７と連通することにある。本実施例のニップル４０の機能は、実施例１のニップル１０とほぼ同じであるため、説明を省略する。
【００１６】
このように、本考案の特定の例を参照して説明したが、それらの例は、説明のためだけのものであり、本考案を限定するものではなく、この分野の通常の知識を有する者には、本考案の要旨および実用新案登録請求の範囲を逸脱することなく、ここで開示された実施例に変更、追加、または、削除を施してもよいことがわかる。
【産業上の利用可能性】
【００１７】
本考案は、ニップルに適用することができる。
【符号の説明】
【００１８】
１０  ニップル
１１  突出エラストマー
１２  吸い端
１３  仕切シート
１４  開口
２１  グリップ部
２２  隆起
２３  塞ぎ部
２４  中空溝
２５  通気パイプライン
２６  環状グリップ部
２７  中空溝
２８  噛みロッド
２９  凹み部
３０  ニップル
３１  通気パイプライン
３２  噛みロッド
３３  噛みロッド
３４  気密空間
４０  ニップル
【図１】
0003192370.tif 000003
【図２】
0003192370.tif 000004
【図３】
0003192370.tif 000005